(57)【要約】【課題】効率的に種々の情報を通知することができる情報処理システム、情報処理装置、情報処理方法およびプログラムを提供する。【解決手段】本発明に係る情報処理システムは、情報処理装置と携帯端末とを備える情報処理システムであって、情報処理装置は、携帯端末の現在位置を示す位置情報を取得する第１位置取得部と、位置情報から携帯端末が予め設定された特定地域内に存在するか否かを判断する位置判断部と、位置判断部で携帯端末が特定地域内に存在すると判断された場合、位置情報を用いて特定地域に関連する地域情報を複数のサーバ装置から取得する情報取得部と、地域情報を携帯端末に対して送信する情報送信部と、を備え、携帯端末は、現在位置を示す位置情報を取得する第２位置取得部と、位置情報を情報処理装置に対して送信する位置送信部と、情報処理装置から地域情報を受信する情報受信部と、受信した地域情報を表示させる第１表示制御部と、を備える。【選択図】図１
2016143067.tif 000002
【特許請求の範囲】
【請求項１】
情報処理装置と、前記情報処理装置と通信する携帯端末とを備える情報処理システムであって、
前記情報処理装置は、
前記携帯端末の現在位置を示す位置情報を取得する第１位置取得部と、
取得した前記位置情報から、前記携帯端末が予め設定された特定地域内に存在するか否かを判断する位置判断部と、
前記位置判断部で前記携帯端末が前記特定地域内に存在すると判断された場合、取得した前記位置情報を用いて前記特定地域に関連する地域情報を複数のサーバ装置から取得する情報取得部と、
取得した前記地域情報を前記携帯端末に対して送信する情報送信部と、
を備え、
前記携帯端末は、
現在位置を示す位置情報を取得する第２位置取得部と、
取得した前記位置情報を前記情報処理装置に対して送信する位置送信部と、
前記情報処理装置から前記地域情報を受信する情報受信部と、
受信した前記地域情報を表示させる第１表示制御部と、
を備える、
ことを特徴とする情報処理システム。
【請求項２】
前記携帯端末は、少なくとも前記特定地域と文字列とを含む設定情報を送信する設定送信部を、さらに備え、
前記情報処理装置は、
前記設定情報を受け付けた場合に、取得した前記地域情報の中から、前記文字列を含む地域情報を抽出する情報抽出部を、さらに備え、
前記情報送信部は、抽出された前記地域情報を前記携帯端末に対して送信する、
ことを特徴とする請求項１に記載の情報処理システム。
【請求項３】
前記情報取得部は、取得した前記地域情報に含まれる特定の文字列を用いて、前記特定地域に関連する地域情報を再度、前記複数のサーバ装置から取得する、
ことを特徴とする請求項１に記載の情報処理システム。
【請求項４】
前記情報取得部は、前記複数のサーバ装置が記憶する前記地域情報に前記特定地域を特定する情報が含まれていない場合、前記地域情報に含まれている文字列から前記特定地域が特定される情報を前記位置情報に設定して前記特定地域に関連する前記地域情報を取得する、
ことを特徴とする請求項１に記載の情報処理システム。
【請求項５】
前記地域情報は、優先度を示す優先度情報を含み、
前記第１表示制御部は、前記優先度に基づいて、前記地域情報を表示させる、
ことを特徴とする請求項１に記載の情報処理システム。
【請求項６】
前記情報処理装置は、
前記地域情報に前記優先度情報が含まれていない場合に、前記地域情報に含まれている文字列から優先度を判断する優先度判断部を、さらに備え、
前記携帯端末の前記第１表示制御部は、判断された前記優先度に基づいて、前記地域情報を表示させる、
ことを特徴とする請求項５に記載の情報処理システム。
【請求項７】
前記地域情報は、付加情報を識別する識別情報を含み、
前記情報処理装置は、
前記地域情報に前記識別情報が含まれている場合、前記識別情報に基づいて、前記複数のサーバ装置から前記付加情報を取得する第１付加情報取得部を、さらに備え、
前記情報送信部は、取得した前記地域情報と、取得した前記付加情報とを前記携帯端末に対して送信する、
ことを特徴とする請求項１に記載の情報処理システム。
【請求項８】
前記情報処理装置は、第１携帯端末に対して、取得した前記地域情報を送信すると共に、第２携帯端末に対して、前記第１位置取得部で取得した前記第１携帯端末の前記位置情報と、取得した前記地域情報とを送信する第１連携部を、さらに備える、
ことを特徴とする請求項１に記載の情報処理システム。
【請求項９】
前記地域情報は、特定地域の場所を特定する場所情報を含み、
前記第２携帯端末の前記第１表示制御部は、前記第２携帯端末の現在位置から前記場所を迂回して前記第１携帯端末の現在位置に到達する道順を地図に表示させる、
ことを特徴とする請求項８に記載に情報処理システム。
【請求項１０】
前記携帯端末は、前記地域情報を受け付けた場合、前記第２位置取得部で取得した前記携帯端末の位置情報と、受信した前記地域情報とを他の携帯端末に対して送信する第２連携部を、さらに備え、
前記地域情報は、特定地域の場所を特定する場所情報を含み、
前記他の携帯端末の前記第１表示制御部は、前記他の携帯端末の現在位置から前記場所を迂回して前記携帯端末の現在位置に到達する道順を地図に表示させる、
ことを特徴とする請求項１又は２に記載に情報処理システム。
【請求項１１】
前記携帯端末は、
前記特定地域に関連する前記地域情報を前記サーバ装置に対して送信する地域情報送信部を、さらに備える、
ことを特徴とする請求項１に記載の情報処理システム。
【請求項１２】
携帯端末の現在位置を示す位置情報を取得する第１位置取得部と、
取得した前記位置情報から、前記携帯端末が予め設定された特定地域内に存在するか否かを判断する位置判断部と、
前記位置判断部で前記携帯端末が前記特定地域内に存在すると判断された場合、取得した前記位置情報を用いて前記特定地域に関連する地域情報を複数のサーバ装置から取得する情報取得部と、
取得した前記地域情報を前記携帯端末に対して送信する情報送信部と、
を備える、
ことを特徴とする情報処理装置。
【請求項１３】
携帯端末の現在位置を示す位置情報を取得する位置取得ステップと、
取得した前記位置情報から、前記携帯端末が予め設定された特定地域内に存在するか否かを判断する位置判断ステップと、
前記位置判断ステップで前記携帯端末が前記特定地域内に存在すると判断された場合、取得した前記位置情報を用いて前記特定地域に関連する地域情報を複数のサーバ装置から取得する情報取得ステップと、
取得した前記地域情報を前記携帯端末に対して送信する情報送信ステップと、
を含む、
ことを特徴とする情報処理方法。
【請求項１４】
情報処理装置に、
携帯端末の現在位置を示す位置情報を取得する位置取得ステップと、
取得した前記位置情報から、前記携帯端末が予め設定された特定地域内に存在するか否かを判断する位置判断ステップと、
前記位置判断ステップで前記携帯端末が前記特定地域内に存在すると判断された場合、取得した前記位置情報を用いて前記特定地域に関連する地域情報を複数のサーバ装置から取得する情報取得ステップと、
取得した前記地域情報を前記携帯端末に対して送信する情報送信ステップと、
を実行させるためのプログラム。
【発明の詳細な説明】
【技術分野】
【０００１】
本発明は、情報処理システム、情報処理装置、情報処理方法およびプログラムに関する。
【背景技術】
【０００２】
近年、携帯端末の普及に伴い、インターネット経由によるネットワークを活用した各種のサービスが拡充されて年々増加している。また、携帯端末から発信した位置情報の技術も拡充されてきており、携帯端末の位置情報を活用した数々のサービスが存在している。
【０００３】
このような通信環境の中において、ひったくり、車上狙い、空き巣、ストーカー、事故などの事件の発生が年々増加傾向にあり、犯罪の種類も多様化してきている。一方、大きな事件はテレビ等のニュースで知ることができるが、身近な地域で発生した身近な犯罪、事故などについては情報をリアルタイムで入手できていない。
【０００４】
身近な地域での犯罪、事故発生の通知に関するシステムとしては、事件や事故等の発生時に携帯端末から緊急通報があった場合に、通報した携帯端末の場所をＧＰＳ機能により特定し、当該特定された位置から最短の距離に存在する警察車両又は救急車両等を現場へ向かわせる緊急警報受信システムなどがある。
【０００５】
また、携帯端末から緊急通報を受信すると、その携帯端末が存在しているエリア内の携帯端末に緊急通知情報を出力するシステムや、災害発生時に近傍区域のサービスエリアに存在する携帯端末に災害情報と地図情報を表示させるシステムなどが知られている。
【０００６】
特許文献１には、事件・事故の発生情報を周辺住民の所持するユーザ端末に通知する地域安全支援システムが開示されている。特許文献１に記載の地域安全支援システムは、事件・事故発生の通報を受け、事前に登録された利用者に、利用者が希望する通知方法で即時に通知する。この際に利用者の年齢、世帯状況等の附帯情報に合わせて事件・事故情報が作成されるため、受信した利用者は通知された事件・事故の状況をリアルタイムに把握することができ、それに対して迅速な対処を行うことができるものである。
【発明の概要】
【発明が解決しようとする課題】
【０００７】
しかしながら、特許文献１に記載の地域安全支援システムでは、特定サーバに蓄積されている情報を携帯端末に通知するだけであり、特定サーバ以外に蓄積されている情報などが通知されない場合があった。
【０００８】
そのため、特定サーバに蓄積されている情報を一方的に携帯端末に通知するだけでなく、特定サーバ以外に蓄積されている情報などを通知することができるシステムが望まれている。
【０００９】
本発明は、上記に鑑みてなされたものであって、効率的に種々の情報を通知することができる情報処理システム、情報処理装置、情報処理方法およびプログラムを提供することを目的とする。
【課題を解決するための手段】
【００１０】
上述した課題を解決し、目的を達成するために、本発明に係る情報処理システムは、情報処理装置と、前記情報処理装置と通信する携帯端末とを備える情報処理システムであって、前記情報処理装置は、前記携帯端末の現在位置を示す位置情報を取得する第１位置取得部と、取得した前記位置情報から、前記携帯端末が予め設定された特定地域内に存在するか否かを判断する位置判断部と、前記位置判断部で前記携帯端末が前記特定地域内に存在すると判断された場合、取得した前記位置情報を用いて前記特定地域に関連する地域情報を複数のサーバ装置から取得する情報取得部と、取得した前記地域情報を前記携帯端末に対して送信する情報送信部と、を備え、前記携帯端末は、現在位置を示す位置情報を取得する第２位置取得部と、取得した前記位置情報を前記情報処理装置に対して送信する位置送信部と、前記情報処理装置から前記地域情報を受信する情報受信部と、受信した前記地域情報を表示させる第１表示制御部と、を備える、ことを特徴とする。
【発明の効果】
【００１１】
本発明によれば、効率的に種々の情報を通知することができる、という有利な効果を奏する。
【図面の簡単な説明】
【００１２】
【図１】図１は、本実施形態に係る情報処理システムの概要について説明する図である。
【図２】図２は、本実施形態に係る情報処理システムの全体システム構成の一例を示す図である。
【図３】図３は、情報処理装置のハードウェア構成の一例を示す図である。
【図４】図４は、情報処理装置、携帯端末及びサーバ装置機能構成の一例を示すブロック図である。
【図５】図５は、設定情報について説明する図である。
【図６】図６は、外部のサーバ装置に蓄積されている地域情報の一例について説明する図である。
【図７】図７は、外部のサーバ装置に蓄積されている地域情報の一例について説明する図である。
【図８】図８は、外部のサーバ装置に蓄積されている地域情報の一例について説明する図である。
【図９】図９は、第１表示制御部が携帯端末に表示させる表示画面の一例について説明する図である。
【図１０】図１０は、第１表示制御部が携帯端末に表示させる表示画面の一例について説明する図である。
【図１１】図１１は、第１表示制御部が携帯端末に表示させる表示画面の一例について説明する図である。
【図１２】図１２は、情報処理装置システムの処理動作の一例を示すフローチャート図である。
【図１３】図１３は、情報処理装置システムの処理動作の一例を示すシーケンス図である。
【図１４】図１４は、情報処理装置システムの処理動作の一例を示すシーケンス図である。
【図１５】図１５は、情報処理装置システムの処理動作の一例を示すシーケンス図である。
【発明を実施するための形態】
【００１３】
以下、添付図面を参照しながら、本発明に係る情報処理システム、情報処理装置、情報処理方法およびプログラムの一実施の形態を詳細に説明する。なお、以下の実施の形態により本発明が限定されるものではない。また、各実施の形態は、内容を矛盾させない範囲で、適宜組み合わせることができる。
【００１４】
本実施形態に係る情報処理システムの情報処理装置は、携帯端末からユーザが設定した特定地域及び文字列を受け付ける。情報処理装置は、ユーザの携帯端末の現在位置を示す位置情報を取得し、携帯端末が特定地域内に存在すると判断された場合、情報処理装置は、取得した携帯端末の位置情報を用いて特定地域に関連する地域情報を複数のサーバ装置から取得する。その後、情報処理装置は、取得した地域情報を携帯端末に対して送信する。また、情報処理装置は、位置情報と文字列とを受け付けた場合に、取得した地域情報の中から、文字列を含む地域情報を抽出して、抽出された地域情報を携帯端末に対して送信する。携帯端末は、地域情報を受信して表示させる。これにより、複数のサーバを情報検索して効率的に種々の情報を通知することができる。
【００１５】
本実施形態に係る情報処理システムは、情報処理装置と、情報処理装置と通信する携帯端末とを備える情報処理システムである。
【００１６】
まず、図１及び図２を用いて、本実施形態に係る情報処理システム１の概要と全体システム構成例について説明する。図１は、本実施形態に係る情報処理システムの概要について説明する図である。図２は、本実施形態に係る情報処理システムの全体システム構成の一例を示す図である。
【００１７】
図１及び図２に示すように、情報処理システム１は、情報処理装置１０と、複数の携帯端末２０ａ、２０ｂ、２０ｃとを備える。図１及び図２では、複数のサーバ装置３０ａ、３０ｂを併せて示している。以下、携帯端末２０ａ、２０ｂ、２０ｃを区別する必要がない場合は、携帯端末２０と表記する。また、サーバ装置３０ａ、３０ｂを区別する必要がない場合は、サーバ装置３０と表記する。
【００１８】
図１に示す特定地域５０内に及び特定地域５０外には、例えば、複数の携帯端末２０ａ〜２０ｃが存在している。複数の携帯端末２０ａ〜２０ｃは、例えば、無線通信により無線通信基地局と接続し、例えば、携帯電話回線網を経由して、通信網４０に接続する情報処理装置１０及びサーバ装置３０と各種の通信を行う。また、携帯端末２０は、情報処理装置１０及びサーバ装置３０との間でデータの送受信を行う。携帯電話回線網としては、例えば、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）、ＵＭＢ（Ｕｌｔｒａ  Ｍｏｂｉｌｅ  Ｂｒｏａｄｂａｎｄ）などであり、高速なデータ通信が可能である。
【００１９】
まず、図１に示す携帯端末２０ａは、特定地域５０及び知りたい情報を示す文字列を情報処理装置１０に送信し、予め設定情報として設定している。また、携帯端末２０ａは所定の間隔で現在位置を示す位置情報を情報処理装置１０に送信している。また、携帯端末１０ｂは、サーバ装置３０ｂに対して地域情報（投稿情報）を投稿している。このような前提のもとで、携帯端末２０ａが移動して、予め設定している特定地域５０内に入った場合、情報処理装置１０は携帯端末２０ａの位置情報から特定地域５０内に存在すると判断し、情報処理装置１０は、予め設定されている特定地域５０に関連する地域情報を複数のサーバ装置３０から情報検索して取得する。さらに情報処理装置１０は、設定情報に含まれる文字列を用いて、取得した地域情報の中から文字列を含む地域情報を抽出する。そして、情報処理装置１０は、取得した地域情報又は抽出した地域情報を携帯端末２０ａに送信する。
【００２０】
また、携帯端末１０ａが携帯端末１０ｃと連携する設定をしている場合、情報処理装置１０は、取得した地域情報又は抽出した地域情報を携帯端末１０ａに送信すると共に、携帯端末１０ｃに対して、取得した携帯端末１０ａの位置情報と、取得した地域情報又は抽出した地域情報とを送信する。なお、携帯端末１０ａが地域情報を受け付けた場合、自身の携帯端末１０ａの位置情報と、情報処理装置１０から受信した地域情報とを携帯端末１０ｃに対して送信するようにすることもできる。
【００２１】
以上、概要を説明したように、本実施形態によれば、携帯端末２０は、特定地域５０内に存在する場合に、複数のサーバから情報検索して集めた有用な地域情報を取得することができる。すなわち、携帯端末２０のユーザに対して効率的に有用な情報を提供することができる。
【００２２】
なお、図１及び図２では、情報処理装置１０及びサーバ装置３０と接続される携帯端末２０の台数が３台である場合を例示しているが、これに限らず、携帯端末２０の台数は任意である。また、情報処理装置１０と接続されるサーバ装置３０の台数が２台である場合を例示しているが、これに限らず、サーバ装置３０の台数は任意である。
【００２３】
次に、図３を用いて、情報処理装置１０のハードウェア構成について説明する。図３は、情報処理装置のハードウェア構成の一例を示す図である。
【００２４】
図３に示すように、情報処理装置１０は、システムバス１２０に接続された、入力装置１１と、表示装置１２と、ドライブ装置１３と、ＲＡＭ（Ｒａｎｄｏｍ  Ａｃｃｅｓｓ  Ｍｅｍｏｒｙ）１４と、ＲＯＭ（Ｒｅａｄ  Ｏｎｌｙ  Ｍｅｍｏｒｙ）１５と、ＣＰＵ（Ｃｅｎｔｒａｌ  Ｐｒｏｃｅｓｓｉｎｇ  Ｕｎｉｔ）１６と、ＨＤＤ（Ｈａｒｄ  Ｄｉｓｋ  Ｄｒｉｖｅ）１８とを備える。ドライブ装置１３には記録媒体１９が接続される。
【００２５】
入力装置１１は、キーボード、マウス、ディスプレイ等で構成され、ユーザの様々な操作指示を受け付けるユーザインタフェースである。また、入力装置１１は、情報処理装置１０に各操作信号、各種データを入力する入力インタフェースである。入力装置１１は、例えば、タッチパネルや音声入力装置を入力装置１１とすることもできる。
【００２６】
表示装置１２は、プログラムによるＧＵＩ（Ｇｒａｐｈｉｃａｌ  Ｕｓｅｒ  Ｉｎｔｅｒｆａｃｅ）等を表示する。表示装置１２は、例えば、画像などを表示するディスプレイなどを含み、情報処理装置１０による処理結果などを表示する。ディスプレイは、例えば、液晶や有機ＥＬなどのＦＰＤ（Ｆｌａｔ  Ｐａｎｅｌ  Ｄｉｓｐｌａｙ）である。
【００２７】
ドライブ装置１３は、着脱可能な記録媒体１９とのインタフェースである。情報処理装置１０は、ドライブ装置１３を介して、記録媒体１９の読み取り及び／又は書き込みを行うことができる。記録媒体１９には、例えば、フロッピー（登録商標）ディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）などがある。
【００２８】
ＲＡＭ１４は、各種プログラムやデータを一時記憶する揮発性の半導体メモリ（記憶装置）である。また、ＲＡＭ１４は、ＣＰＵ１６がデータ処理時に使用するメモリでもある。なお、ＲＡＭ１４の代わりに、ＳＤＲＡＭ、ＤＲＡＭ、ＳＲＡＭなどを使用してもよい。
【００２９】
ＲＯＭ１５は、電源を切っても内部データを保持することができる不揮発性の半導体メモリ（記憶装置）である。ＲＯＭ１５には、情報処理装置１０の起動時に実行されるＢＩＯＳ（Ｂａｓｉｃ  Ｉｎｐｕｔ／Ｏｕｔｐｕｔ  Ｓｙｓｔｅｍ）、情報処理システム設定、及びネットワーク設定などのプログラムやデータが格納されている。
【００３０】
ＣＰＵ１６は、情報処理装置１０の動作を統括的に制御する。ＣＰＵ１６は、ＲＯＭ１５やＨＤＤ１８に格納されたプログラムやデータをＲＡＭ（メモリ）１４上に読み出し、処理を実行することで、情報処理装置１０全体の動作を制御する。また、ＣＰＵ１６は、各種機能を実現する。
【００３１】
インタフェース装置１７は、通信網４０に接続するためのインタフェースである。また、インタフェース装置１７は、携帯端末２０及びサーバ装置３０と通信するためのインタフェースである。これにより、情報処理装置１０は、インタフェース装置１７を介して、携帯端末２０及びサーバ装置３０とデータ通信を行う。
【００３２】
ＨＤＤ１８は、情報処理装置１０で実行される各種のプログラムやデータを格納する不揮発性の記憶装置である。また、ＨＤＤ１８は、情報処理装置１０の各種機能を実現するために必要なプログラムやデータ等を格納する。格納されるプログラムやデータには、情報処理装置１０全体を制御する情報処理システム（例えば「Ｗｉｎｄｏｗｓ（登録商標）」や「ＵＮＩＸ（登録商標）」などの基本ソフトウェアであるＯＳ（Ｏｐｅｒａｔｉｎｇ  Ｓｙｓｔｅｍ））、及びシステム上において各種機能を提供するアプリケーションなどがある。また、ＨＤＤ１８は、格納しているプログラムやデータを、所定のファイルシステム及び／又はＤＢ（Ｄａｔａ  Ｂａｓｅ）により管理している。
【００３３】
なお、上記の情報処理装置１０用プログラムは、インストール可能な形式又は実行可能な形式のファイルで、記録メディア等のコンピュータで読み取り可能な記録媒体に記録して流通させるようにしてもよい。
【００３４】
なお、後述する携帯端末２０及びサーバ装置３０のハードウェア構成は、上記の情報処理装置１０と同様であるため、以下では詳細な説明は省略する。
【００３５】
次に、図４を用いて、本実施形態に係る情報処理装置１０、携帯端末２０及びサーバ装置３０の機能について説明する。図４は、情報処理装置、携帯端末及びサーバ装置の機能構成の一例を示すブロック図である。以下では、サーバ装置３０ａ、３０ｂを区別する必要がない場合、サーバ装置３０と表記する。
【００３６】
まず、情報処理装置１０の機能構成について説明する。図４に示すように、情報処理装置１０は、通信部１０１と、受付部１０２と、第１位置取得部１０３と、位置判断部１０４と、情報取得部１０５と、情報抽出部１０６と、情報送信部１０７と、第２表示制御部１０８と、優先度判断部１０９と、第１付加情報取得部１１０と、第１連携部１１１と、記憶部１１２と、制御部１１３とを備える。上記各部については、これらの一部がソフトウェア（プログラム）であってもよいし、これらの一部又は全部がハードウェア回路であってもよい。また、上記各部のうちの一部が情報処理装置１０に搭載される形態であってもよい。
【００３７】
通信部１０１は、通信網４０を経由して携帯端末２０及びサーバ装置３０と通信する。通信部１０１は、携帯端末２０及びサーバ装置３０と通信網４０を経由して各種データを送受信する。通信部１０１は、例えば、携帯端末２０と通信し、携帯端末２０の現在位置を示す位置情報を取得して、第１位置取得部１０３に受け渡す。
【００３８】
また、通信部１０１は、サーバ装置３０と通信し、特定地域５０に関連する地域情報を複数のサーバ装置３０から取得して、情報取得部１０５に受け渡す。
【００３９】
また、通信部１０１は、複数のサーバ装置３０から取得した特定地域５０に関連する地域情報を携帯端末２０に対して送信する。
【００４０】
また、通信部１０１は、携帯端末２０からユーザが設定した少なくとも特定地域５０と文字列とを含む設定情報を受信して受付部１０２、情報抽出部１０６、記憶部１１２に受け渡す。
【００４１】
また、通信部１０１は、特定地域５０に関連する地域情報をサーバ装置３０に対して送信する。
【００４２】
受付部１０２は、携帯端末２０から少なくとも特定地域５０と文字列とを含む設定情報を受け付ける。受付部１０２は、例えば、携帯端末２０からユーザが設定した特定地域５０と、ユーザが知りたい情報を示す文字列とを通信部１０１を介して受け付けて、位置判断部１０４、情報取得部１０５、情報抽出部１０６、記憶部１１２に受け渡す。
【００４３】
ここで、図５を用いて、携帯端末２０から受け付ける設定情報について説明する。図５は、設定情報について説明する図である。図５に示すように、設定情報は、例えば、携帯端末２０の識別情報、特定地域、特定地域設定、文字列、連携携帯端末の識別情報、連携設定、履歴を含む情報である。携帯端末２０の識別情報としては、携帯端末２０を識別する情報、例えば、携帯端末ＩＤ、電話番号、メールアドレスなどである。特定地域５０としては、例えば、行政区や自治体で示される地域（範囲）、及び区市町村などで示される地域（範囲）などが例示される。なお、特定地域５０の範囲は任意であり、例えば、海老名地域、横浜地域、湘南地域、鎌倉地域、海老名市内、横浜市内、海老名市周辺地域、横浜駅周辺地域などが例示される。特定地域設定としては、ユーザが地域情報を知りたい場合はＯＮ設定であり、知りたくない場合はＯＦＦ設定である。文字列としては、ユーザが知りたい事件などのキーワード、例えば、強盗、犯罪、事故、火災、災害などが例示される。連携携帯端末の識別情報としては、連携する携帯端末２０を識別する情報、例えば、携帯端末ＩＤ、電話番号、メールアドレスなどである。連携設定としては、連携機能を設定する場合はＯＮ設定であり、設定しない場合はＯＦＦ設定である。履歴としては、携帯端末２０に送信された地域情報を情報処理装置１０側に保持する期間である。なお、設定情報の項目については上記に限ることはなく任意に設定できる。
【００４４】
図５で示した例では、携帯端末２０の識別情報が「００００１＠ｃｏ．ｊｐ」であり、特定地域が「海老名」であり、特定地域設定が「ＯＮ」であり、文字列が「強盗」であり、連携する携帯端末２０の識別情報が「００００２＠ｃｏ．ｊｐ」であり、連携設定が「ＯＮ」であり、履歴が「１週間」であることを示している。具体的には、特定地域「海老名地域」に携帯端末２０が存在する場合、携帯端末２０のメールアドレス「００００１＠ｃｏ．ｊｐ」に対して「海老名地域で発生した強盗事件に関連する情報（地域情報）」を送信する設定であり、連携する携帯端末２０のメールアドレス「００００２＠ｃｏ．ｊｐ」に対しても同様の「地域情報」を送信する設定である。
【００４５】
図４に戻って説明を続ける。第１位置取得部１０３は、携帯端末２０の現在位置を示す位置情報を取得する。具体的には、携帯端末２０が備えるＧＰＳ（Ｇｌｏｂａｌ  Ｐｏｓｉｔｉｏｎｉｎｇ  Ｓｙｓｔｅｍ）の機能から携帯端末２０の現在位置を特定する位置情報を取得する。取得する位置情報としては、例えば、「経度Ｎ３５°２６′４７″、緯度Ｗ１３９°２３′２７″」などの情報である。
【００４６】
位置判断部１０４は、第１位置取得部１０３で取得した位置情報から、携帯端末２０が予め設定された特定地域５０内に存在するか否かを判断する。具体的には、位置判断部１０４は、例えば、第１位置取得部１０３で取得した携帯端末２０のＧＰＳ情報から携帯端末２０の現在位置を用いて特定地域５０内、例えば、海老名地域（海老名市）内に該当する位置であるか否かを判断する。なお、ＧＰＳの位置情報から地図情報の現在位置（例えば住所）を特定する方法は任意である。
【００４７】
情報取得部１０５は、位置判断部１０４で携帯端末２０が特定地域５０内に存在すると判断された場合、第１位置取得部１０３で取得した携帯端末２０の位置情報を用いて特定地域５０に関連する地域情報を複数のサーバ装置３０から取得する。具体的には、例えば、予め特定地域５０が「海老名地域（海老名市）」と設定されていた場合であって、情報取得部１０５は、位置判断部１０４で携帯端末２０のＧＰＳ情報から携帯端末２０の現在位置が海老名地域（海老名市）内に該当する位置である場合に、「海老名地域（海老名市）」に関連する地域情報を複数のサーバ装置３０から取得する。
【００４８】
ここで、図６〜図８を用いて、サーバ装置３０に蓄積されている地域情報について説明する。図６〜図８は、外部のサーバ装置に蓄積されている地域情報の一例について説明する図である。以下では、特定地域５０を「海老名地域（海老名市）」を一例として説明する。
【００４９】
図６に示す例は、例えば、特定地域５０に関連する事件、事故、警報、災害などの地域情報を蓄積しているサーバ装置３０に蓄積されている地域情報である。この場合、サーバ装置３０は、例えば、役所（市役所など）、警察署、消防署など地域を管轄する公共組織に所属して運用されているサーバ装置３０に相当する。
【００５０】
図６に示すように、地域情報としては、例えば、日時で管理されており、発生事件の場所情報（位置情報）は緯度、経度で示されている。そして、地域情報には、重要度、緊急度などの優先度を示す優先度情報、及び付加情報を識別する識別情報などを含むことができる。付加情報としては、図７に示すように、付加情報の識別情報「１」は例えば、「警察署の場所」の情報であり、付加情報の識別情報「２」は例えば、「警報の種類」の情報であり、付加情報の識別情報「３」は例えば、「災害時の避難場所」の情報であり、付加情報の識別情報「４」は例えば、「交通マナーの啓発」の情報である。なお、付加情報は任意に設定できる。
【００５１】
図６の例では、日時「２０１４／３／１０  １２：００」に、海老名地域内の場所「緯度（Ｎ３５°２６′４７″）経度（Ｗ１３９°２３′２７″）」で、地域情報「強盗事件発生中！最寄り警察署はこちら。」という情報が保持されていて、優先度「１」、付加情報「１：警察署の場所」が設定されていることを示している。
【００５２】
また、日時「２０１４／３／１０  １５：００」に、海老名地域内の場所「緯度（Ｎ３５°２６′３７″）経度（Ｗ１３９°２８′１７″）」で、地域情報「光化学スモッグ警報発令中。」という情報が保持されていて、優先度「２」、付加情報「２：警報の種類」が設定されていることを示している。
【００５３】
また、日時「２０１４／３／１０  １８：００」に、海老名地域内の場所「緯度（Ｎ３５°２８′３５″）経度（Ｗ１３９°２３′２″）」で、地域情報「交通事故多発中！」という情報が保持されていて、優先度「２」、付加情報「４：交通マナーの啓発」が設定されていることを示している。
【００５４】
また、日時「２０１４／３／１１  １２：００」に、海老名地域内の場所「緯度（Ｎ３５°２７′２２″）経度（Ｗ１３９°２３′１８″）」で、地域情報「痴漢注意！最寄り警察署はこちら。」という情報が保持されていて、優先度「２」、付加情報「１：警察署の場所」が設定されていることを示している。
【００５５】
また、日時「２０１４／３／１２  １２：００」に、海老名地域内の場所「緯度（Ｎ３５°２７′２９″）経度（Ｗ１３９°２２′５２″）」で、地域情報「洪水のため、水位が上がっています。ご注意下さい。」という情報が保持されていて、優先度「２」、付加情報「３：災害時の避難場所」が設定されていることを示している。
【００５６】
そこで、情報取得部１０５は、図６に示した「発生事件の場所情報（位置情報）」から、例えば、位置情報（海老名地域内の特定場所）「緯度（Ｎ３５°２６′４７″）経度（Ｗ１３９°２３′２７″）」を用いて「海老名地域（海老名市）」と判断して、「海老名地域（海老名市）」に関連する地域情報を複数のサーバ装置３０から取得する。
【００５７】
また、図８に示す例は、例えば、コミュニティ型のＷｅｂサイト、例えば、ＳＮＳ（Ｓｏｃｉａｌ  Ｎｅｔｗｏｒｋｉｎｇ  Ｓｅｒｖｉｃｅ）の情報を運用しているサーバ装置３０に蓄積されている投稿情報（地域情報）である。この場合、サーバ装置３０は、民間が運用する、例えば、ＬＩＮＥ、Ｆａｃｅｂｏｏｋ、Ｔｗｉｔｔｅｒなどのサーバ装置３０に相当する。
【００５８】
図８に示すように、投稿情報（地域情報）としては、例えば、日時で管理されており、投稿された地域の場所情報（位置情報）は緯度、経度で示されている。そして、投稿情報（地域情報）には添付ファイルなどを設定することができる。なお、添付ファイルが画像データ（写真データ）である場合は、位置情報（ＧＰＳ情報）が含まれていてもよい。
【００５９】
図８の例では、日時「２０１４／３／１０  １０：３０」に、位置情報「緯度（Ｎ３５°２６′４７″）経度（Ｗ１３９°２３′２７″）」で、投稿情報「強盗事件発生なう。」という情報が保持されていることを示している。なお、この投稿情報には添付ファイルはない。
【００６０】
また、日時「２０１４／３／１０  １２：００」に、投稿情報「横浜でランチ中。」という情報が保持されていて、添付ファイル「地図．ｊｐｇ」が設定されていることを示している。なお、この投稿情報には位置情報はない。
【００６１】
また、日時「２０１４／３／１０  １５：００」に、投稿情報「海老名で強盗事件が発生したらしい。」という情報が保持されていることを示している。なお、この投稿情報には位置情報、添付ファイルはない。
【００６２】
日時「２０１４／３／１０  １５：４５」に、位置情報「緯度（Ｎ３５°２６′１″）経度（Ｗ１３９°２３′１８″）」で、投稿情報「横浜市こども植物園に着きました。」という情報が保持されていることを示している。なお、この投稿情報には添付ファイルはない。
【００６３】
また、日時「２０１４／３／１０  １６：００」に、投稿情報「強盗の犯人の写真か？」という情報が保持されていて、添付ファイル「写真．ｊｐｇ」が設定されていることを示している。なお、この投稿情報には位置情報はない。
【００６４】
そこで、情報取得部１０５は、図８に示した「位置情報」から、例えば、位置情報「緯度（Ｎ３５°２６′４７″）経度（Ｗ１３９°２３′２７″）」を用いて「海老名地域（海老名市）」と判断して、「海老名地域（海老名市）」に関連する地域情報を複数のサーバ装置３０から取得する。なお、添付ファイルの画像データ（写真データ）に位置情報（ＧＰＳ情報）が含まれている場合には、画像データの位置情報を用いて「海老名地域（海老名市）」と判断して、「海老名地域（海老名市）」に関連する地域情報を複数のサーバ装置３０から取得することもできる。
【００６５】
図４に戻って説明を続ける。情報取得部１０５は、取得した地域情報に含まれる特定の文字列を用いて、特定地域５０に関連する地域情報を再度、複数のサーバ装置３０から取得する。具体的には、例えば、サーバ装置３０から取得した地域情報の中に、例えば「強盗」という文字列が含まれていた場合、情報取得部１０５は、「強盗」という文字列をキーワードにして複数のサーバ装置３０にある地域情報を再度検索し、「強盗」という文字列が含まれている特定地域５０に関連する地域情報を取得する。
【００６６】
さらに詳細には、図６及び図７で示した地域情報を蓄積するサーバ装置３０を、例えば、サーバ装置３０ａと仮定し、図８で示した投稿情報（地域情報）を蓄積するサーバ装置３０を、例えば、サーバ装置３０ｂと仮定した場合を一例にして説明する。例えば、サーバ装置３０ａから取得した地域情報（図６）の中に、例えば「強盗」という文字列が含まれていた場合、情報取得部１０５は、「強盗」という文字列をキーワードにしてサーバ装置３０ｂにある投稿情報（地域情報、図８）を再度検索し、「強盗」という文字列が含まれている「強盗事件発生なう。」と、「海老名で強盗事件が発生したらしい。」と、「強盗の犯人の写真？」という３つの投稿情報（地域情報）を取得する。
【００６７】
また、情報取得部１０５は、複数のサーバ装置３０が記憶する地域情報に特定地域５０を特定する情報が含まれていない場合、地域情報に含まれている文字列から特定地域５０が特定される情報を位置情報に設定して特定地域５０に関連する地域情報を取得する。具体的には、図８を用いて説明する。図８の例では、例えば、投稿情報（地域情報）「横浜でランチ中。」には、「横浜」という特定地域５０が特定される情報が含まれているので、情報取得部１０５は、位置情報として、例えば、横浜市中心を設定して、横浜地域に関連する地域情報（投稿情報）を取得する。
【００６８】
同様にして、投稿情報（地域情報）「海老名で強盗事件が発生したらしい。」には、「海老名」という特定地域５０が特定される情報が含まれているので、情報取得部１０５は、位置情報として、例えば、海老名市中心を設定して、海老名地域に関連する地域情報（投稿情報）を取得する。
【００６９】
図４に戻って説明を続ける。情報抽出部１０６は、少なくとも特定地域５０と文字列とを含む設定情報を受け付けた場合に、取得した地域情報の中から、文字列を含む地域情報を抽出する。具体的には、情報取得部１０５で取得した、図６に示した、例えば、海老名地域に関連する地域情報の中から、情報抽出部１０６は、図５に示した設定情報で、文字列「強盗」を受け付けた場合、「強盗」という文字列をキーワードにして図６の地域情報の「強盗事件発生中！最寄り警察署はこちら。」という１つの地域情報を抽出する。
【００７０】
また、図８に示した、位置情報から例えば、「海老名地域（海老名市）」と判断される「強盗事件発生なう。」という地域情報（投稿情報）と、地域情報（投稿情報）に含まれている文字列「海老名」から例えば、「海老名で強盗事件が発生したらしい。」という地域情報との２つの地域情報（投稿情報）を抽出する。また、例えば、画像データ（写真．ｊｐｇ）に位置情報が含まれている場合であって、位置情報から例えば、「海老名地域（海老名市）」と判断される「強盗の犯人の写真か？」という地域情報（投稿情報）も抽出することができる。
【００７１】
図４に戻って説明を続ける。情報送信部１０７は、情報取得部１０５で取得した地域情報を携帯端末２０に対して送信する。
【００７２】
また、情報送信部１０７は、情報抽出部１０６で抽出された地域情報を携帯端末２０に対して送信する。
【００７３】
また、情報送信部１０７は、情報取得部１０５で取得した地域情報と、第１付加情報取得部１１０で取得した付加情報とを携帯端末２０に対して送信する。具体的には、情報送信部１０７は、情報取得部１０５で取得した地域情報と、第１付加情報取得部１１０で取得した、例えば、地図情報とを携帯端末２０に対して送信する。
【００７４】
第２表示制御部１０８は、携帯端末２０の表示部に地域情報を表示させる制御を行う。また、第２表示制御部１０８は、地域情報に優先度情報が含まれている場合、優先度情報に基づいて、地域情報を表示させる制御を行う。具体的には、第２表示制御部１０８は、例えば、図６に示したように、優先度が「１」である地域情報の場合、例えば、携帯端末２０が備える通知ソフトを起動させて地域情報を表示させる制御を行い、通知ソフトが起動できない場合には、例えば、バイブレーションや警告音のアラームなどで通知する制御を行う。また、優先度が「２」である地域情報の場合は、例えば、携帯端末２０が備える通知ソフトを起動させて地域情報を表示させる制御を行う。
【００７５】
また、第２表示制御部１０８は、第２携帯端末２０の表示部に第２携帯端末２０の現在位置から特定地域５０の特定場所を迂回して第１携帯端末２０の現在位置に到達する道順を地図に表示させる制御を行う。
【００７６】
なお、第２表示制御部１０８の機能を、後述する携帯端末２０に備える構成とすることもできる。その場合、情報処理装置１０に第２表示制御部１０８を備えない構成であってもよい。
【００７７】
優先度判断部１０９は、地域情報に優先度情報が含まれていない場合に、地域情報に含まれている文字列から優先度を判断する。そして、優先度判断部１０９は、判断した優先度を地域情報に付加して更新する。具体的には、犯罪事件など緊急に人命に関わるような重要度の高い文字列、例えば、「強盗」、「殺人」、「誘拐」、「災害」などは優先度「１」を付加するようにし、その他の文字列は優先度「２」を付加するようにする。なお、優先度の判断は任意である。
【００７８】
第１付加情報取得部１１０は、地域情報に付加情報を識別する識別情報が含まれている場合、識別情報に基づいて、複数のサーバ装置３０から付加情報を取得する。具体的には、第１付加情報取得部１１０は、図６の例において、地域情報「強盗事件発生中！最寄り警察署はこちら。」の付加情報「１」である「警察署の場所」の例えば、地図情報を取得する。また、第１付加情報取得部１１０は、図６の例において、地域情報「光化学スモッグ警報発令中。」の付加情報「２」である「警報の種類」の例えば、警報レベル情報を取得する。また、第１付加情報取得部１１０は、図６の例において、地域情報「交通事故多発中！」の付加情報「４」である「交通マナーの啓発」の例えば、スピード出し過ぎ注意という標語を取得する。また、第１付加情報取得部１１０は、図６の例において、地域情報「洪水のため、水位が上がっています。ご注意下さい。」の付加情報「３」である「災害時の避難場所」の例えば、地図情報を取得する。
【００７９】
第１連携部１１１は、第１携帯端末２０に対して、情報取得部１０５で取得した地域情報を送信すると共に、第２携帯端末２０に対して、第１位置取得部１０３で取得した第１携帯端末２０の位置情報と、情報取得部１０５で取得した地域情報を送信する。
【００８０】
記憶部１１２は、各種のデータ、及び各種の設定情報を記憶する。記憶部１１２は、例えば、携帯端末２０から受け付けた少なくとも特定地域５０と文字列とを含む設定情報を記憶する。
【００８１】
制御部１１３は、情報処理装置１０の全体を制御する。また、制御部１１３は、上記の各機能部の処理を統括的に制御する。
【００８２】
次に、携帯端末２０の機能構成について説明する。図４に示すように、携帯端末２０は、通信部２０１と、受付部２０２と、第２位置取得部２０３と、位置送信部２０４と、設定送信部２０５と、情報受信部２０６と、第１表示制御部２０７と、第２付加情報取得部２０８と、地域情報送信部２０９と、第２連携部２１０と、記憶部２１１と、制御部２１２とを備える。上記各部については、これらの一部がソフトウェア（プログラム）であってもよいし、これらの一部又は全部がハードウェア回路であってもよい。また、上記各部のうちの一部が携帯端末２０に搭載される形態であってもよい。
【００８３】
通信部２０１は、無線通信により無線通信基地局と接続し、例えば、携帯電話回線網を経由して、通信網４０に接続する情報処理装置１０及びサーバ装置３０と各種の通信を行う。
【００８４】
また、通信部２０１は、情報処理装置１０及びサーバ装置３０との間でデータの送受信を行う。
【００８５】
また、通信部２０１は、ユーザが設定した少なくとも特定地域５０と文字列とを含む設定情報を情報処理装置１０に対して送信する。
【００８６】
また、通信部２０１は、携帯端末２０の現在位置を示す位置情報を情報処理装置１０に対して送信する。
【００８７】
また、通信部２０１は、情報処理装置１０から地域情報を受信して、第１表示制御部２０７に受け渡す。
【００８８】
受付部２０２は、ユーザから少なくとも特定地域５０と文字列とを含む設定情報を受け付けて、記憶部２１１に記憶させる。受付部２０２は、例えば、図５に示した、携帯端末２０の識別情報、特定地域、特定地域設定、文字列、連携携帯端末の識別情報、連携設定、履歴を少なくとも含む設定情報を受け付ける。なお、受付部２０２は、制御部２１２の制御の下、予め記憶している携帯端末２０の識別情報、連携携帯端末の識別情報、履歴の設定などを自動で取得して受け付けて記憶部２１１に記憶させるようにしてもよい。なお、上記の携帯端末２０の識別情報、特定地域、特定地域設定、文字列、連携携帯端末の識別情報、連携設定、履歴については、上記の図５を用いて説明したものと同様である。
【００８９】
第２位置取得部２０３は、携帯端末２０の現在位置を示す位置情報を取得する。具体的には、携帯端末２０が備えるＧＰＳ（Ｇｌｏｂａｌ  Ｐｏｓｉｔｉｏｎｉｎｇ  Ｓｙｓｔｅｍ）の機能から携帯端末２０の現在位置を特定する位置情報を取得する。取得する位置情報としては、例えば、「経度Ｎ３５°２６′４７″、緯度Ｗ１３９°２３′２７″」などの情報である。第２位置取得部２０３は、取得した位置情報を位置送信部２０４に受け渡す。
【００９０】
位置送信部２０４は、第２位置取得部２０３で取得した位置情報を情報処理装置１０に対して送信する。具体的には、位置送信部２０４は、所定の間隔でＧＰＳ機能の現在位置の位置情報を情報処理装置１０に対して送信する。なお、所定の間隔は任意である。
【００９１】
設定送信部２０５は、受付部２０２で受け付けた、少なくとも特定地域５０と文字列とを含む設定情報を情報処理装置１０に対して送信する。具体的には、図５を用いて説明した設定情報を情報処理装置１０に対して送信する。なお、設定送信部２０５は、図５で示した設定情報をすべて一度で送信する必要はない。設定送信部２０５は、例えば、予め携帯端末２０の識別情報、特定地域の設定情報、履歴の期間の設定情報を情報処理装置１０に送信しておく。次に、特定地域５０に関連する地域情報が欲しい場合に、設定送信部２０５は、特定地域設定、文字列の設定情報を情報処理装置１０に送信する。さらに、他の端末と連携させたい場合に、設定送信部２０５は、連携携帯端末の識別情報、連携設定の設定情報を情報処理装置１０に送信する。
【００９２】
なお、文字列の設定情報を送信するタイミングは、上記に限ることはなく、例えば、特定地域５０に関連する地域情報を受信した後、文字列の設定情報を情報処理装置１０に送信するようにしてもよい。この場合、携帯端末２０が特定地域５０内に移動した後、ユーザが知りたい情報について文字列をキーワードとして地域情報を限定して受信することができる。
【００９３】
情報受信部２０６は、情報処理装置１０から地域情報を受信し、第１表示制御部２０７、記憶部２１１に受け渡す。また、情報受信部２０６は、情報処理装置１０から文字列をキーワードとして抽出された地域情報を受信し、第１表示制御部２０７、記憶部２１１に受け渡す。
【００９４】
第１表示制御部２０７は、情報処理装置１０から受信した地域情報を表示させる制御を行う。
【００９５】
また、第１表示制御部２０７は、地域情報に含まれる優先度情報に基づいて、地域情報を表示させる制御を行う。具体的には、第１表示制御部２０７は、例えば、図６に示したように、優先度が「１」である地域情報の場合、例えば、携帯端末２０が備える通知ソフトを起動させて地域情報を表示させる制御を行い、通知ソフトが起動できない場合には、例えば、バイブレーションや警告音のアラームなどで通知する制御を行う。また、優先度が「２」である地域情報の場合は、例えば、携帯端末２０が備える通知ソフトを起動させて地域情報を表示させる制御を行う。なお、第１表示制御部２０７の機能を、上記の情報処理装置１０に備える構成とすることもできる。その場合、携帯端末２０に第１表示制御部２０７を備えない構成であってもよい。
【００９６】
また、第１表示制御部２０７は、例えば、連携する第１携帯端末２０の位置情報と、特定地域５０の場所を特定する場所情報を含む地域情報とを受信した場合、自身の携帯端末２０の現在位置から、特定地域５０の場所を迂回して第１携帯端末２０の現在位置に到達する道順を地図に表示させる制御を行う。
【００９７】
ここで、図９〜図１１を用いて、第１表示制御部２０７が携帯端末２０に表示させる表示画面について説明する。図９〜図１１は、第１表示制御部が携帯端末に表示させる表示画面の一例について説明する図である。
【００９８】
図９に示すように、第１表示制御部２０７は、情報処理装置１０から地域情報を受信した場合、メッセージ一覧を表示させる。図９の例では、図６及び図８で説明した地域情報（投稿情報）と日時を表示させる一例を示している。図９の例では、日時順に「強盗事件発生なう。（２０１４／３／１０  １０：３０）」、「強盗事件発生中！最寄り警察署はこちら。（２０１４／３／１０  １２：００）」、「海老名で強盗事件が発生したらしい。（２０１４／３０１０  １５：００）」、「強盗の犯人の写真か？（２０１４／３／１０  １６：００）」という一覧を表示させることを示している。
【００９９】
また、図９に示した表示画面で、ユーザがメッセージをタップして選択した場合、例えば、図１０に示すように、メッセージ詳細と共に地図情報を表示させる。図１０の例では、第１表示制御部２０７は、携帯端末２０の現在位置と、事件場所（図６の発生事件の場所情報（位置情報））と、最寄りの警察署の場所（図７の付加情報）とを地図情報と共に表示させる制御を行う。さらに、第１表示制御部２０７は、現在位置から事件場所を迂回して警察署に到着する道順を併せて地図に表示させる制御を行う。
【０１００】
また、図１１に示すように、第１表示制御部２０７は、自身の携帯端末２０の現在位置「Ａ」から、特定地域５０の場所（事件場所）を迂回して第１携帯端末（他の携帯端末）２０の現在位置「Ｂ」に到達する道順を地図に表示させる制御を行う。
【０１０１】
図４に戻って説明を続ける。第２付加情報取得部２０８は、地域情報に付加情報を識別する識別情報が含まれている場合、識別情報に基づいて、外部のサーバ装置３０から付加情報を取得する。具体的には、第２付加情報取得部２０８は、図６の例において、地域情報「強盗事件発生中！最寄り警察署はこちら。」の付加情報「１」である「警察署の場所」の例えば、地図情報を取得する。また、第２付加情報取得部２０８は、図６の例において、地域情報「光化学スモッグ警報発令中。」の付加情報「２」である「警報の種類」の例えば、警報レベル情報を取得する。また、第２付加情報取得部２０８は、図６の例において、地域情報「交通事故多発中！」の付加情報「４」である「交通マナーの啓発」の例えば、スピード出し過ぎ注意という標語を取得する。また、第２付加情報取得部２０８は、図６の例において、地域情報「洪水のため、水位が上がっています。ご注意下さい。」の付加情報「３」である「災害時の避難場所」の例えば、地図情報を取得する。
【０１０２】
地域情報送信部２０９は、特定地域５０に関連する地域情報をサーバ装置３０に対して送信する。具体的には、図８を用いて説明した、例えば、コミュニティ型のＷｅｂサイト、例えば、ＳＮＳ（Ｓｏｃｉａｌ  Ｎｅｔｗｏｒｋｉｎｇ  Ｓｅｒｖｉｃｅ）の情報を運用しているサーバ装置３０に対して投稿情報（地域情報）を送信する。
【０１０３】
第２連携部２１０は、情報処理装置１０から地域情報を受け付けた場合、前記第２位置取得部２０３で取得した携帯端末２０の位置情報と、受信した前記地域情報とを他の携帯端末２０に対して送信する。
【０１０４】
記憶部２１１は、各種のデータ、及び各種の設定情報を記憶する。記憶部２１１は、例えば、受付部２０２で受け付けた、図５に示した、少なくとも特定地域５０と文字列とを含む設定情報を記憶する。
【０１０５】
制御部２１２は、携帯端末２０の全体を制御する。また、制御部２１２は、上記の各機能部の処理を統括的に制御する。
【０１０６】
次に、サーバ装置３０の機能構成について説明する。図４に示すように、サーバ装置３０ａ、３０ｂは、通信部３０１ａ、３０１ｂと、受付部３０２ａ、３０２ｂと、地域情報記憶部３０３ａ、３０３ｂと、制御部３０４ａ、３０４ｂとを備える。上記各部については、これらの一部がソフトウェア（プログラム）であってもよいし、これらの一部又は全部がハードウェア回路であってもよい。また、上記各部のうちの一部がサーバ装置３０に搭載される形態であってもよい。以下では、サーバ装置３０ａ、３０ｂ、通信部３０１ａ、３０１ｂ、受付部３０２ａ、３０２ｂ、地域情報記憶部３０３ａ、３０３ｂ、制御部３０４ａ、３０４ｂを区別する必要がない場合、サーバ装置３０、通信部３０１、受付部３０２、地域情報記憶部３０３、制御部３０４と表記する。
【０１０７】
通信部３０１は、通信網４０を経由して情報処理装置１０及び携帯端末２０と通信する。通信部３０１は情報処理装置１０及び携帯端末２０と通信網４０を経由して各種データを送受信する。
【０１０８】
また、受付部３０２は、例えば、図６及び図７を用いて説明した地域情報について、管理者からの入力を受け付けて地域情報記憶部３０３に受け渡す。管理者からの入力では、日時、発生事件の場所情報（位置情報）の緯度、経度、地域情報、優先度、付加情報の識別情報などを受け付けることができる。なお、管理者からの入力項目は任意である。
【０１０９】
受付部３０２は、例えば、図８を用いて説明した、携帯端末２０からの投稿情報（地域情報）を受け付けて地域情報記憶部３０３に受け渡す。携帯端末２０からの投稿情報（地域情報）では、日時、投稿された地域の場所情報（位置情報）は緯度、経度、投稿情報（地域情報）、添付ファイルなどを受け付けることができる。なお、携帯端末２０からの投稿情報（地域情報）の項目は任意である。
【０１１０】
地域情報記憶部３０３は、各種のデータ、及び各種の設定情報を記憶する。地域情報記憶部３０３は、例えば、図６及び図７を用いて説明した地域情報を受付部３０２を介して受け付けて更新して記憶して蓄積する。また、地域情報記憶部３０３は、図８を用いて説明した投稿情報（地域情報）を受付部３０２を介して受け付けて更新して記憶して蓄積する。
【０１１１】
制御部３０４は、サーバ装置３０の全体を制御する。また、制御部３０４は、上記の各機能部の処理を統括的に制御する。
【０１１２】
次に、図１２を用いて、情報処理装置１０の処理動作について説明する。図１２は、情報処理装置システムの処理動作の一例を示すフローチャート図である。以下では、携帯端末２０は、設定情報をすべて送信するのではなく、最初に特定地域５０の設定情報だけを送信し、後から知りたい情報を示す文字列の設定情報を送信する場合について説明する。
【０１１３】
情報処理装置１０は、携帯端末２０から予め特定地域５０を含む設定情報を受け付ける。情報処理装置１０は、特定地域５０を設定する（ステップＳ１）。次に、情報処理装置１０は、携帯端末２０から文字列を含む設定情報を受け付ける（ステップＳ２）。次に、情報処理装置１０は、携帯端末２０の現在位置を示す位置情報を取得する（ステップＳ３）。次に、情報処理装置１０は、取得した位置情報から、携帯端末２０が予め設定された特定地域５０内に存在するか否かを判断する（ステップＳ４）。特定地域５０内に存在しない場合（ステップＳ４：Ｎｏ）、ステップＳ３に戻り処理を繰り返す。特定地域５０内に存在する場合（ステップＳ４：Ｙｅｓ）、情報処理装置１０は、取得した携帯端末２０の位置情報を用いて特定地域５０に関連する地域情報を複数のサーバ装置３０から取得する（ステップＳ５）。次に、情報処理装置１０は、取得した地域情報を携帯端末２０に対して送信する（ステップＳ６）。次に、携帯端末２０は、情報処理装置１０から地域情報を受信する（ステップＳ７）。そして携帯端末２０は、地域情報を表示（ステップＳ８）させて処理を終了する。
【０１１４】
以上の処理を情報処理システム１に実行させることにより、携帯端末２０は、特定地域５０内に存在する場合に、ユーザが知りたい情報を示す文字列を情報処理装置１０に送信することで、複数のサーバから情報検索して集めた地域情報を取得することができる。すなわち、携帯端末２０のユーザが知りたい情報を複数のサーバ装置３０から情報検索して効率的に種々の情報を通知することが可能となる。
【０１１５】
次に、図１３を用いて、情報処理装置１０の処理動作について説明する。図１３は、情報処理装置システムの処理動作の一例を示すシーケンス図である。以下では、携帯端末２０は、少なくとも特定地域５０と文字列とを含む設定情報を予め送信する場合について説明する。
【０１１６】
サーバ装置３０ａは、地域情報を受け付けて（ステップＳ１０）、地域情報を更新して記憶する（ステップＳ１１）。また、サーバ装置３０ｂは、地域情報を受け付けて（ステップＳ１２）、地域情報を更新して記憶する（ステップＳ１３）。
【０１１７】
次に、携帯端末２０は、少なくとも特定地域５０と文字列とを含む設定情報を情報処理装置１０に送信する（ステップＳ１４）。
【０１１８】
情報処理装置１０は、少なくとも特定地域５０と文字列とを含む設定情報を受け付けて（ステップＳ１５）、特定地域５０、文字列を設定する（ステップＳ１６）。
【０１１９】
次に、携帯端末２０は、携帯端末２０の現在位置を示す位置情報を取得する（ステップＳ１７）。そして、携帯端末２０は、位置情報を情報処理装置１０に送信する（ステップＳ１８）。
【０１２０】
情報処理装置１０は、携帯端末２０から位置情報を受信して位置情報を取得する（ステップＳ１９）。情報処理装置１０は、サーバ装置３０ａに対して位置情報を用いて地域情報の取得要求を送信し（ステップＳ２０）、サーバ装置３０ａから地域情報を受信して地域情報を取得する（ステップＳ２１）。また、情報処理装置１０は、サーバ装置３０ｂに対して位置情報を用いて地域情報の取得要求を送信し（ステップＳ２２）、サーバ装置３０ｂから地域情報を受信して地域情報を取得する（ステップＳ２３）。
【０１２１】
情報処理装置１０は、取得した地域情報の中から、文字列を含む地域情報を抽出する（ステップＳ２４）。情報処理装置１０は、抽出した地域情報を携帯端末２０に対して送信する（ステップＳ２５）。
【０１２２】
携帯端末２０は、情報処理装置１０から地域情報を受信し（ステップＳ２６）、地域情報を表示する（ステップＳ２７）。
【０１２３】
以上の処理を情報処理システム１に実行させることにより、携帯端末２０は、特定地域５０と、文字列の情報を予め設定しておくことで、特定地域５０内に存在する場合に、複数のサーバから情報検索して集めた地域情報を取得することができる。すなわち、携帯端末２０のユーザが知りたい情報を複数のサーバ装置３０から情報検索して効率的に種々の情報を通知することが可能となる。
【０１２４】
次に、図１４を用いて、情報処理装置１０の処理動作について説明する。図１４は、情報処理装置システムの処理動作の一例を示すシーケンス図である。以下では、第１連携部１１１が第１携帯端末２０ａと第２携帯端末２０ｃとを連携させる場合について説明する。
【０１２５】
なお、以下ではステップＳ１０〜Ｓ２７は、図１３を用いて説明した処理と同様である。よって、ステップＳ４０〜Ｓ４２の処理が新たに行われる処理である。
【０１２６】
図１４に示すように、情報処理装置１０は、抽出した地域情報を携帯端末２０ａに対して送信する（ステップＳ２５）と共に、携帯端末２０ｃに対して、取得した携帯端末２０ａの位置情報と、取得した地域情報を送信する（ステップＳ４０）。
【０１２７】
携帯端末２０ａは、情報処理装置１０から地域情報を受信し（ステップＳ２６）、地域情報を表示する（ステップＳ２７）。
【０１２８】
携帯端末２０ｃは、連携する携帯端末２０ａの位置情報と、携帯端末２０ａが受信したものと同様の地域情報を受信する（ステップＳ４１）。次に、携帯端末２０ｃは、図１０及び図１１を用いて説明した地図情報を表示させる（ステップＳ４２）。
【０１２９】
以上の処理を情報処理システム１に実行させることにより、携帯端末２０ｃは、地図情報を基に、現在位置から事件場所を迂回して携帯端末２０ａの現在位置に到達する道順を知ることができる。すなわち、親子連携した携帯端末２０同士で、地域情報を共有し、一方の携帯端末２０の現在位置から他方の携帯端末２０の現在位置に迅速に移動することができるので、安全性を向上させることができる。
【０１３０】
次に、図１５を用いて、情報処理装置１０の処理動作について説明する。図１５は、情報処理装置システムの処理動作の一例を示すシーケンス図である。以下では、第２連携部２１０が携帯端末２０ａと他の携帯端末２０ｃとを連携させる場合について説明する。
【０１３１】
なお、以下ではステップＳ１０〜Ｓ２７は、図１３を用いて説明した処理と同様であり、ステップＳ４１、Ｓ４２は、図１４を用いて説明した処理と同様である。よって、ステップＳ５０の処理が新たに行われる処理である。
【０１３２】
図１５に示すように、情報処理装置１０は、抽出した地域情報を携帯端末２０ａに対して送信する（ステップＳ２５）。
【０１３３】
携帯端末２０ａは、情報処理装置１０から地域情報を受信し（ステップＳ２６）、地域情報を表示する（ステップＳ２７）。次に、携帯端末２０ａは、携帯端末２０ｃに対して、取得した携帯端末２０ａの位置情報と、取得した地域情報を送信する（ステップＳ５０）。
【０１３４】
次に、携帯端末２０ｃは、連携する携帯端末２０ａの位置情報と、携帯端末２０ａが受信したものと同様の地域情報を受信する（ステップＳ４１）。次に、携帯端末２０ｃは、図１０及び図１１を用いて説明した地図情報を表示させる（ステップＳ４２）。
【０１３５】
以上の処理を情報処理システム１に実行させることにより、携帯端末２０ｃは、地図情報を基に、現在位置から事件場所を迂回して携帯端末２０ａの現在位置に到達する道順を知ることができる。すなわち、親子連携した携帯端末２０同士で、地域情報を共有し、一方の携帯端末２０の現在位置から他方の携帯端末２０の現在位置に迅速に移動することができるので、安全性を向上させることができる。
【０１３６】
以上に説明したように、本発明の各実施形態によれば、携帯端末２０が予め設定した特定地域５０内に存在する場合に、情報処理装置１０は、携帯端末２０のユーザが知りたい情報を複数のサーバから情報検索して効率的に種々の情報を通知することができる、という有利な効果を達成できる。
【０１３７】
以上、本発明に係る各実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、各実施形態に示される全構成要素から幾つかの構成要素を削除してもよい。さらに、異なる実施形態にわたる構成要素を適宜組み合わせてもよい。
【０１３８】
また、上述した各実施形態の情報処理システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１３９】
なお、本実施形態の情報処理装置１０と、携帯端末２０とで構成されたシステム構成は一例であり、用途や目的に応じて様々なシステム構成例があることは言うまでもない。
【符号の説明】
【０１４０】
１  情報処理システム
１０  情報処理装置
１１  入力装置
１２  表示装置
１３  ドライブ装置
１４  ＲＡＭ
１５  ＲＯＭ
１６  ＣＰＵ
１７  インタフェース装置
１８  ＨＤＤ
１９  記録媒体
２０、２０ａ、２０ｂ、２０ｃ  携帯端末
３０、３０ａ、３０ｂ  サーバ装置
４０  通信網
５０  特定地域
１０１  通信部
１０２  受付部
１０３  第１位置取得部
１０４  位置判断部
１０５  情報取得部
１０６  情報抽出部
１０７  情報送信部
１０８  第２表示制御部
１０９  優先度判断部
１１０  第１付加情報取得部
１１１  第１連携部
１１２  記憶部
１１３  制御部
２０１  通信部
２０２  受付部
２０３  第２位置取得部
２０４  位置送信部
２０５  設定送信部
２０６  情報受信部
２０７  第１表示制御部
２０８  第２付加情報取得部
２０９  地域情報送信部
２１０  第２連携部
２１１  記憶部
２１２  制御部
３０１、３０１ａ、３０１ｂ  通信部
３０２、３０２ａ、３０２ｂ  受付部
３０３、３０３ａ、３０３ｂ  地域情報記憶部
３０４、３０４ａ、３０４ｂ  制御部
【先行技術文献】
【特許文献】
【０１４１】
【特許文献１】特開２００６−２５２１９４号公報
【図１】
2016143067.tif 000003
【図２】
2016143067.tif 000004
【図３】
2016143067.tif 000005
【図４】
2016143067.tif 000006
【図５】
2016143067.tif 000007
【図６】
2016143067.tif 000008
【図７】
2016143067.tif 000009
【図８】
2016143067.tif 000010
【図９】
2016143067.tif 000011
【図１０】
2016143067.tif 000012
【図１１】
2016143067.tif 000013
【図１２】
2016143067.tif 000014
【図１３】
2016143067.tif 000015
【図１４】
2016143067.tif 000016
【図１５】
2016143067.tif 000017